(57)【特許請求の範囲】
【請求項１】
蚕用人工飼料に所定量のセラミックを混入又は添加してなることを特徴とするセラミック入り蚕用飼料。
【請求項２】
前記蚕用人工飼料に対して重量比で少なくとも１〜３０パーセントのセラミックを混合してなることを特徴とする請求項１に記載のセラミック入り蚕用飼料。
【請求項３】
前記セラミックは、アルミ、バリウム、チタンのいづれか一つの元素またはそれら元素の混合物からなることを特徴とする請求項１または請求項２に記載のセラミック入り蚕用飼料。
【請求項４】
前記セラミックは、粒径が５０メッシュ以上の粉末からなることを特徴とする請求項１〜請求項３のいずれか１項に記載のセラミック入り蚕用飼料。
【請求項５】
生桑葉に所定量のセラミックを添加してなることを特徴とするセラミック入り蚕用飼料。
【請求項６】
生桑葉にセラミック混合溶液を噴霧するか、または生桑葉をセラミックス混合溶液中に浸漬することにより生桑葉にセラミックを添加してなることを特徴とするセラミック入り蚕用飼料。
【請求項７】
前記セラミック混合溶液は、水に対して重量比ですくなくとも０．５〜４０パーセントを混合してなることを特徴とする請求項６に記載のセラミック入り蚕用飼料。
【請求項８】
前記セラミックは、粒径が５０メッシュ以上の粉末からなることを特徴とする請求項５〜請求項７のいずれか１項に記載のセラミック入り蚕用飼料。
【請求項９】
前記請求項１〜請求項８のいずれか１項に記載の蚕用飼料を使用し蚕から生産した絹。
【発明の詳細な説明】
【０００１】
【発明が属する技術分野】
本発明は、所定量のセラミックを蚕の飼料中に混入又は添加してなるセラミック入り蚕用飼料およびその飼料を給餌して生産した絹に関するものである。
【０００２】
【従来の技術】
近年セラミックが人体に対して効果的に働くことが明らかになり、これを受けてセラミックを糸や織物に添加するなどの加工により、セラミック入り衣料の新製品が開発されている。
【０００３】
【発明が解決しようとする課題】
しかし、セラミックを布などに付着させるための加工処理を絹に施そうとすると、絹本来の持つ最も重要である天然の風合、肌さわりを損なってしまうことになり、現在、セラミックを絹の持つ肌触りそのままに加工処理した製品は実用化されていない。
【０００４】
そこで、本発明者らは、蚕用の飼料としては極めて不適当であると考えられていた無機物を飼料中に混入し蚕を飼育してみた結果、従来から常識となっていた蚕が食下した無機物は、絹糸に移行しないという定説をくつがえす結果を得ることができた。
【０００５】
本発明は、こうした極めて画期的な知見に基づいてなされたものである。
本発明によれば、古来から人類が親しんできた絹の魅力を損なうことなく、これに近代科学が証明した人体に好結果をもたらすセラミックを蚕の飼料中に混入させ、蚕を通して自然の形で繭糸にセラミックを取り入れることが可能となったため、天然の風合、肌さわりを一切損なうことなく、セラミック入りの絹を容易に生産することができる。
【０００６】
【課題を解決するための手段】
このため、本発明が採用した技術解決手段は、
蚕用人工飼料に所定量のセラミックを混入又は添加してなることを特徴とするセラミック入り蚕用飼料である。
また、前記蚕用人工飼料に対して重量比で少なくとも１〜３０パーセントのセラミックを混合してなることを特徴とするセラミック入り蚕用飼料である。
また、前記セラミックは、アルミ、バリウム、チタンのいづれか一つの元素またはそれら元素の混合物からなることを特徴とするセラミック入り蚕用飼料である。
また、前記セラミックは、粒径が５０メッシュ以上の粉末からなることを特徴とするセラミック入り蚕用飼料である。
また、生桑葉に所定量のセラミックを添加してなることを特徴とするセラミック入り蚕用飼料である。
また、生桑葉にセラミック混合溶液を噴霧するか、または生桑葉をセラミックス混合溶液中に浸漬することにより生桑葉にセラミックを添加してなることを特徴とするセラミック入り蚕用飼料である。
また、前記セラミック混合溶液は、水に対して重量比ですくなくとも０．５〜４０パーセントを混合してなることを特徴とするセラミック入り蚕用飼料である。
また、前記セラミックは、粒径が５０メッシュ以上の粉末からなることを特徴とするセラミック入り蚕用飼料である。
また、前記蚕用飼料を使用し蚕から生産した絹である。
【０００７】
【実施の形態】
以下、本発明に係わるセラミック入り蚕用飼料およびその飼料を給餌して生産した絹の実施形態を説明する。
蚕にセラミックを食べさせる方法は人工飼料に混入して与える第１の方法と生桑葉に添加して与える第２の方法の２つがある。
【０００８】
第１の方法は、現在蚕の人工飼料として、全国に普及している「くわのはな」（表１の飼料組成）の粉末に１ミクロン以下の粒子のセラミック粉末を所定量混合し、これに水分を加え、これを蒸してセラミック入り湿体飼料を調製し、この飼料を蚕に給餌して飼育し、セラミック入り繭を作らせ、これを用いてセラミック入り絹を生産する方法である。
【０００９】
また、第２の方法は、水道水等の清水にセラミックを解かし、この溶液に桑葉を浸漬すか、この溶液を噴霧器等で桑葉に散布するか、又は給桑時に散粉機等でセラミック粉を生桑葉散布し、この桑葉を蚕に給餌して飼育し、セラミック入りの繭を作らせ、これを用いてセラミック入り絹を生産する方法である。
【００１０】
以下それぞれの方法に使用する飼料および飼育状況について説明する。
Ａ．第１の方法に使用するセラミック入り人工飼料及びその飼料による蚕飼育状況
【００１１】
（１）  セラミック混入の人工飼料
表１に示す組成からなる人工飼料「くわのはな」（登録商標）に、セラミック（アルミ、バリウム、チタン等からなるセラミック）を人工飼料の乾物重量に対して０〜２５パーセント添加し、これにその重量の２．５倍の水分を加え、加熱減菌し、ビニ−ル袋に詰めて形を整えて冷蔵庫に保存して使用する。なお、この時のセラミックの粒子は少なくとも５０メッシュ以上の篩にかけた小さい粒径であることが必要であり、粒径が大きすぎると蚕がセラミックを食さなくなる。
【００１２】
【表１】
0003560825.tif 000002
【００１３】
この飼料製造方法の流れを以下に示す。
人工飼料「くわのはな」組成＋セラミック混合→水分添加→練り合わせ→蒸煮→袋詰め→成型→冷蔵庫へ保存→給餌
ここで蒸煮とは水を加えた飼料を蒸気で蒸すか煮ることであり、その後成形した人工飼料は袋詰めされ、腐敗防止のために冷蔵庫に保管され、適宜給餌される。
【００１４】
（２）セラミック入り飼料による蚕の飼育法
セラミックを繭糸に取り込ませることが目的であるので、幼虫期の何時の時期にセラミック入り飼料を、給餌する事が経済的か、また、飼料への混入量と蚕への影響について検討した。各齢の蚕への給餌量標準は表２に示す通りであるが、セラミックは栄養価が期待できないので、各飼料のセラミック混入量は加算して給餌をした。なお、この時人工飼料中に混合したセラミックの元素は    であり、その粒径は１ミクロン以下である。
なお、生桑葉の給桑量は乾燥することを考慮して、２０％増しの重量とした。
蚕は通常の飼育温度雰囲気中でセラミック入りの人工飼料を従来の人工飼料と遜色なく食した。
【００１５】
【表２】
0003560825.tif 000003
【００１６】
（３）上記飼料を給餌した飼育成績・観察結果
（ａ）実験１
２齢から上蔟までのセラミック混入人工飼料給餌の飼育結果を表３に示す。
この表から明らかなように、セラミックを混入しない人工飼料とセラミックを混入した人工飼料では雄、雌ともに化蛹歩合（試験開始から繭を作り蛹になった数）には大きな変化はなく、繭重、繭層重、繭層歩合がともにセラミックを混入した人工飼料の方が高くなっている。
【００１７】
【表３】
0003560825.tif 000004
【００１８】
（ｂ）実験２
４齢から上蔟までのいセラミック混合人工飼料給餌の飼育結果を表４に示す。
この表から明らかなように、セラミック混入量を増やしても化蛹歩合（試験開始から繭を作り蛹になった数）は変わりがない（セラミックを混入しないものの方が化蛹歩合が少なくなっている）。また、繭重、繭層重、繭層歩合などもセラミックを混入した人工飼料の方が高くなっている。
【００１９】
【表４】
0003560825.tif 000005
【００２０】
（ｃ）実験３
５齢から上蔟までのセラミック飼料給餌の飼育結果を表５に示す。
【００２１】
【表５】
0003560825.tif 000006
【００２２】
上記３実験とも、セラミック混合人工飼料給餌区は蚕は健康に育ち、繭重繭層重共無添加飼料に比べ、重く、繭層歩合が多かった。しかしセラミック混合量との間に一定の傾向はなかった。
【００２３】
（４）人工飼料による蚕の飼育結果のまとめ
各々の目的量のセラミック入りの飼料を蚕に与えたが、蚕は此の飼料に対して忌避性は認められず、よく食べ、かえって蚕の揃い、健康は優る傾向であった。特にセラミックを対乾物２５％入り飼料においても、蚕が順調に成育し、繭を作ったことはセラミックが無害であることが証明された。
しかし蚕が繭を作るまでに食べた飼料の量は、セラミックの混合量の多い飼料を与えた区が飼料を多く食べる結果となり、その量はセラミックの混合量にほぼ比例した。
【００２４】
Ｂ．第２の方法に使用するセラミック入り人工飼料及びその飼料による蚕飼育状況（桑葉へセラミックを添加した飼料）
【００２５】
（１）散布による桑葉へのセラミック添加
蚕に桑葉を与えるときに、桑葉に目的量のセラミックを篩で散布し、給桑する。散布に当たっては桑葉に付着するセラミックがなるべく均等になるように数回に別けて散布し、与えた桑を余さないように、少なめに与える。
【００２６】
（２）セラミック混合溶液へ桑葉を浸漬した飼料
セラミックを清水に０．５〜４０％混合してセラミック溶液を作り、良く攪拌し、散布又は溶液に桑葉を浸漬する方法であり、与える場合には水分がやや乾きはじめた時期が好ましい。
【００２７】
桑葉へのセラミック混合溶液を散布したものによる飼育結果を表６に示す。
【表６】
0003560825.tif 000007
【００２８】
セラミック混合溶液へ桑葉を浸漬したものによる飼育結果を表７に示す。
【表７】
0003560825.tif 000008
【００２９】
（３）セラミックを添加した桑葉を給与した飼育結果のまとめ
桑葉にセラミックを散布または、セラミック溶液に桑葉を浸漬した場合でも、各区とも人工飼料にセラミックを混入した飼料を給餌したものと同様に、蚕は良く食べ繭を作り、顕微鏡観察の結果からも繭糸へセラミックが移行していることが確認された。
【００３０】
Ｃ．上記セラミック混合人工飼料および桑葉にセラミック添加をした飼料を用いて飼育した結果の走査型電子顕微鏡によるセラミックの繭糸への移行の確認
セラミック粒子の繭糸へ移行の確認の方法は、走査型電子顕微鏡の５００〜１０００倍で行い、さらに、セラミック構成元素をエネルギ−分散型分析装置で分析した。
【００３１】
図１、図２に走査型電子顕微鏡で写真撮影した繭糸の状態を示す。図中白い粒子として観察できるものが繭糸中へ移行したセラミック粒子である。
観察結果は実験１の稚蚕期の２齢から給餌、実験２の中蚕期の４齢から給餌、実験３の最終齢期の５齢初期の各齢期別の蚕に給餌したものにおいて、いづれの場合でも、セラミックの繭糸への移行が確認された。
【００３２】
これらの結果から、経済的なセラミックの給餌時期は、蚕の絹糸腺が急激に発育する５齢４日以降からの給餌が、もっとも合理的であることが分かった（実験３）。
またセラミックの添加量を１％〜２５％まで、変えてた飼料を蚕に給餌したが、いづれの場合でもセラミックの繭糸への取り込みが明らかであった。
顕微鏡での観察でセラミックの移行がセリシン部分（絹の表面部分）に比較的に多いことが分かった。
【００３３】
給餌飼料のセラミック濃度の関係では、添加量が多いほうが、わずかではあるが、繭糸にセラミックの移行量が多い傾向が見られた。
また、繭糸についてセラミックの移行状況を雄、雌別に調査した結果差は無かった。このことから、経済的にセラミックを生産する方法としては、５齢期の絹糸腺が発育する時期に、セラミック飼料を給餌する方法が能率的である。
【００３４】
顕微鏡での観察でセラミックの移行がセリシン部分に多いことから、セリシンを落とさない、繭糸の使用法の開発が急務となるが、このセリシン入り「なま糸」は「しゃり」（硬く俗に云うこしの強い）があるという特徴をもっている。
一方ニット製品の原料として近年絹が珍重されているが、これは従来の和装用生糸の様に精錬する必要はなく、かえって外着用原料としてセリシンを含んだ「しゃり」（硬く俗にいうこしの強い）のあるものが要望されている。
このことから両者をドッキングさせ、セリシン入り「なま糸」使用による、ニット製品の開発と云う新分野の開発が期待される。
このセリシン入り「なま糸」は、従来和装用として精練してフィブロインのみを使用する方法に比べ、精練の時に落とされる約２５％程度のセリシンをそのまま生糸として使用することができ、経済的な使用法であり画期的なものである。
【００３５】
以上のように本発明は、蚕が食下した無機物は絹糸に移行しないと考えられていた従来からの定説をくつがえす画期的な発見によりなされたものであり、これによってセラミック入りの飼料を作り、これを蚕に食べさせ、セラミック入りの繭糸を容易に作ることができ、また、自然の絹本来の魅力を持つセラミック入りの絹を容易に得ることができる。
【００３６】
また、上記セラミックを混合した人工飼料としては「くわのはな」（登録商標）を使用したが、現在は種々の人工飼料が市販されており、これらの飼料でもセラミックを混入することで同様の絹を生産することができる。
また、本発明はその精神又は主要な特徴から逸脱することなく他の色々な形で実施することができ、また、前述の実施例はあらゆる点で単なる例示に過ぎず、限定的に解釈してはならない。
【００３７】
【発明の効果】
以上詳細に述べた如く本発明によれば、セラミックを人工飼料や桑葉と共に蚕に食べさせる方法で、セラミック入り繭糸を容易に生産することができる。また人体に好結果をもたらすセラミックを、蚕を通して自然の形で繭糸に取り入れることができる。また、さらにこの絹を使用して衣料を作った場合、取り込まれたセラミックスが人体に対して効果的に作用する。種々のセラミック入り衣料を容易に製作することができる。
等々の極めて優れた作用効果を奏する。
【図面の簡単な説明】
【図１】走査型電子顕微鏡で写真撮影した繭糸の状態を示す図である。
【図２】走査型電子顕微鏡で写真撮影した繭糸の他の状態を示す図である。
【図１】
0003560825.tif 000009
【図２】
0003560825.tif 000010